(57)【要約】【課題】  グループ分類機能のあるビデオカメラ、デジカメで撮影時に自動的にグループ分類機能を実現でき、かつ特別なユーザー操作が不要。【解決手段】  スポーツモードや、ポートレートといったプリセット撮影モードに対応したグループを新規撮影画像に自動設定する。モードスイッチのみでなく、日時や地域も見て判断。再生時に統一的な操作で変更可能な構成とする。【選択図】        図１
2005269356.tif 000002
【特許請求の範囲】
【請求項１】
画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置であって、
撮影モードに対応したグループを備え、新規に記録する画像データが、少なくとも撮影時の撮影モードに対応したグループに属するようグループ管理情報を自動設定することを特徴とする画像データ記録装置。
【請求項２】
撮影モード設定手段とはカメラ部の露出制御モード設定手段であることを特徴とする請求項１記載の画像データ記録装置。
【請求項３】
露出制御モード設定手段とは少なくとも一つのプリセットモードを備える撮影モードスイッチであることを特徴とする請求項２記載の画像データ記録装置。
【請求項４】
撮影モードスイッチのプリセットモードには露出制御と焦点距離の組み合わせからなるモードを含むことを特徴とする請求項３記載の画像データ記録装置。
【請求項５】
撮影モードがオート、マニュアル、シャッタースピード優先、絞り優先の場合は、撮影モードグループ外とすることを特徴とする請求項１記載の画像データ記録装置。
【請求項６】
撮影モードがオート、マニュアル、シャッタースピード優先、絞り優先の場合は、モード内で手動もしくは自動設定された撮影パラメータの組み合わせに対応してあらかじめ用意されたグループに属するよう、グループ管理情報を自動設定することを特徴とする請求項１記載の画像データ記録装置。
【請求項７】
プリセット撮影モードに対応するグループの撮影パラメータの組み合わせに合わせて、撮影モードがオート、マニュアル、シャッタースピード優先、絞り優先のときの撮影パラメータの組み合わせに対応したグループを用意し、新規に記録する画像データが、撮影時のプリセット撮影モードに対応したグループに属するようグループ管理情報を自動設定することを特徴とする請求項６記載の画像データ記録装置。
【請求項８】
画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置であって、
撮影モードとそれ以外の撮影パラメータの組み合わせに対応したグループを備え、新規に記録する画像データが、少なくとも撮影時の撮影モードとそれ以外の撮影パラメータの組み合わせに対応したグループに属するようグループ管理情報を自動設定することを特徴とする画像データ記録装置。
【請求項９】
撮影モード以外の撮影パラメータとは撮影日時データであることを特徴とする請求項８記載の画像データ記録装置。
【請求項１０】
撮影モード以外の撮影パラメータとは撮影地域データであることを特徴とする請求項８記載の画像データ記録装置、
【請求項１１】
撮影モード設定手段とはカメラ部の露出制御モード設定手段であることを特徴とする請求項８乃至１０のいずれか記載の画像データ記録装置。
【請求項１２】
露出制御モード設定手段とは少なくとも一つのプリセットモードを備える撮影モードスイッチであることを特徴とする請求項１１記載の画像データ記録装置。
【請求項１３】
撮影モードスイッチのプリセットモードには露出制御と焦点距離の組み合わせからなるモードを含むことを特徴とする請求項１２記載の画像データ記録装置。
【請求項１４】
画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録再生装置であって、
撮影モードに対応したグループを備え、既存の画像データが属するグループの追加もしくは変更の際、前記撮影モード設定手段によってグループの選択を行うことを特徴とする画像データ記録再生装置。
【請求項１５】
撮影モード設定手段とはカメラ部の露出制御モード設定手段であることを特徴とする、請求項１４記載の画像データ記録再生装置。
【請求項１６】
露出制御モード設定手段とは少なくとも一つのプリセットモードを備える撮影モードスイッチであることを特徴とする請求項１５記載の画像データ記録再生装置。
【請求項１７】
撮影モードスイッチのプリセットモードには露出制御と焦点距離の組み合わせからなるモードを含むことを特徴とする請求項１６記載の画像データ記録再生装置。
【請求項１８】
画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置であって、
撮影モード毎に対応するグループを設定できる手段を備え、新規に記録する画像データが、少なくとも撮影時の撮影モードに設定されたグループに属するようグループ管理情報を自動設定することを特徴とする画像データ記録装置。
【請求項１９】
撮影モード設定手段とはカメラ部の露出制御モード設定手段であることを特徴とする請求項１８記載の画像データ記録装置。
【請求項２０】
露出制御モード設定手段とは少なくとも一つのプリセットモードを備える撮影モードスイッチであることを特徴とする請求項１９記載の画像データ記録装置。
【発明の詳細な説明】
【技術分野】
【０００１】
本発明は、画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置および画像データ記録再生装置に関する。
【背景技術】
【０００２】
動画ないしは静止画の画像データを記録再生する装置においては、記録された画像データの検索性を向上するために、ユーザーが画像データ毎にグループ属性を設定し、グループ分類表示を行うことにより、求める画像データへのアクセス性を向上させる技術が知られている。
【０００３】
図１３は、従来の、動画もしくは静止画の画像データに対しグループ属性を設定することによって分類表示することが可能な装置の概略構成を示す図である。
【０００４】
例えばカーソルキーのような汎用入力装置１３１７で実現される画像選択入力で指示された画像データについての再生指示がシステム制御部１３１２より再生制御部１３１６に送られ、再生制御部１３１６の指示にしたがい、再生部１３１３が再生対象である画像データを読み出し、記録変調復号化、誤り訂正を行ったのち画像信号データについては再生信号処理部１３１４に供給する。再生信号処理部１３１４では画像データの圧縮複合化を行い、画像表示部１３１５に供給する。
【０００５】
従来、画像データについてグループ属性を設定する場合、例えばカーソルキーのような汎用入力装置１３１７で実現される再生時機能選択において、グループ設定操作が選択された場合、例えば図１４−１４０１で示される再生時機能選択メニューから、グループ設定操作を選択し、１４０２で示されるグループサブメニューから設定すべきグループを選択する操作を、グループ選択入力部１３１９によって入力し、選択されたグループがグループ情報設定部１３０８に設定される。
【０００６】
記録制御部１３０６には再生部よりグループ管理データの追加更新に必要な既存データが記録メディアから読み出し供給され、グループ情報設定部１３０８から供給される新たに設定すべきグループ情報が設定されたのち、記録部１３０５から記録メディア１３０９に記録される。システム制御部１３１２は各部動作の全体的な協調制御を行う。
【０００７】
グループ管理データを、画像データとは別の管理ファイルに記録する場合は、グループ管理データファイル１３１１の内容が更新され、画像データ内にグループ管理情報を記録する場合は、記録制御部１３０６および記録部１３０５による画像ヘッダ記録動作時において、所定のデータブロックにグループ管理情報をセットすることによって行われる。
【特許文献１】特開２００１−１７７７８９号公報
【発明の開示】
【発明が解決しようとする課題】
【０００８】
しかしながら、従来の画像データのグループ分類可能な装置では、グループの設定は撮影後にユーザー操作によって行わなければならず、設定の自由度は高いが、ハンディビデオカメラ等に搭載するには、画像データ毎のユーザー操作が必要であり、撮影時の簡便な操作で自動的に撮影内容を反映したグループ属性の付加手段が望まれていた。
【０００９】
本発明は、上述の問題点に着目してなされたものであって、グループ分類機能のあるビデオカメラ、デジカメで撮影時に自動的にグループ分類機能を実現でき、特別なユーザー操作が不要な画像データ記録装置および画像データ記録再生装置の提供を目的とする。
【課題を解決するための手段】
【００１０】
以上の課題を解決するため、本発明によれば、画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置において、
撮影モードに対応したグループを備え、新規に記録する画像データが、少なくとも撮影時の撮影モードに対応したグループに属するようグループ管理情報を自動設定することにより、画像データ撮影時、簡便な手段によって撮影目的および撮影内容に関係が深いグループに、撮影画像データを自動設定することが可能である。
【００１１】
また、画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置において、
撮影モードとそれ以外の撮影パラメータの組み合わせに対応したグループを備え、新規に記録する画像データが、少なくとも撮影時の撮影モードとそれ以外の撮影パラメータの組み合わせに対応したグループに属するようグループ管理情報を自動設定することを特徴ことにより、画像データ撮影時、プリセットモードでは撮影目的および撮影内容に関係が深いグループに、撮影画像データを自動設定できるのみならず、プリセットモード設定のみでは特定しづらい撮影状況を、他のシステムパラメータを参照することにより総合的に判断し、より適切なグループ設定が可能である。
【００１２】
また、画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録再生装置において、
撮影モードに対応したグループを備え、既存の画像データが属するグループの追加もしくは変更の際、前記撮影モード設定手段によってグループの選択を行うことにより、画像データ撮影時にプリセットモードを用いなかった画像データや、設定したいグループと異なるグループに対応した撮影モードで撮影された画像データについても、撮影時の自動グループ設定と統一された簡便なグループ選択方法により、グループ属性を追加／変更することが可能である。
【００１３】
また、画像を撮像するカメラ部と、カメラ部の制御を行うカメラ制御部と、カメラ制御部の撮影モード設定手段と、画像データ記録部と、画像データ記録部に記録されるグループ管理情報によって画像データを分類するグループ化機能を備える画像データ記録装置において、
撮影モード毎に対応するグループを設定できる手段を備え、新規に記録する画像データが、少なくとも撮影時の撮影モードに設定されたグループに属するようグループ管理情報を自動設定することにより、画像データ撮影時、プリセットモードでは撮影目的および撮影内容に関係が深いグループに、撮影画像データを自動設定できるのみならず、プリセットモードに対応するグループを撮影者が事前に設定することにより、より柔軟なグループ情報の自動設定が可能である。
【発明の効果】
【００１４】
以上に述べたように、本発明の請求項１によれば、画像データ撮影時、簡便な手段によって撮影目的および撮影内容に関係が深いグループに、撮影画像データを自動設定することが可能である。
【００１５】
請求項６および請求項７によれば、画像データ撮影時、プリセットモードでは撮影目的および撮影内容に関係が深いグループに、撮影画像データを自動設定できるのみならず、プリセットモード用いない撮影においても、カメラ制御パラメータを参照することにより、プリセットモード使用時に近いと思われるグループ情報を設定可能である。また請求項６によれば、特定の撮影パラメータの組み合わせに対し、プリセットモードに存在しない新たなグループ設定を行うことも可能である。
【００１６】
請求項８によれば、画像データ撮影時、プリセットモードでは撮影目的および撮影内容に関係が深いグループに、撮影画像データを自動設定できるのみならず、プリセットモード設定のみでは特定しづらい撮影状況を、他のシステムパラメータを参照することにより総合的に判断し、より適切なグループ設定が可能である。
【００１７】
請求項１４によれば、画像データ撮影時にプリセットモードを用いなかった画像データや、設定したいグループと異なるグループに対応した撮影モードで撮影された画像データについても、撮影時の自動グループ設定と統一された簡便なグループ選択方法により、グループ属性を追加／変更することが可能である。
【００１８】
請求項１８によれば、画像データ撮影時、プリセットモードでは撮影目的および撮影内容に関係が深いグループに、撮影画像データを自動設定できるのみならず、プリセットモードに対応するグループを撮影者が事前に設定することにより、より柔軟なグループ情報の自動設定が可能である。
【発明を実施するための最良の形態】
【００１９】
以下に、本発明を実施するための最良の形態を、実施例に基づいて説明する。
【実施例】
【００２０】
以下、本発明を図面を参照して詳細に説明する。本発明の第１の実施例を示す図１は、請求項１に記載される、動画もしくは静止画の画像データ記録装置の概略構成図である。１０１はカメラ部であり、レンズ工学系およびＣＣＤ等の撮像系からなる。１０２はカメラ制御部であり、カメラ部１０１の撮影パラメータ制御を行う。代表的な撮影パラメータには、絞り、シャッタースピード、アンプゲイン等の露出パラメータ、レンズ焦点距離、ズーム位置等の光学パラメータ、色温度設定等の信号処理パラメータ等がある。これら多岐にわたる撮影パラメータを撮影者が簡便にコントロールするための手段として、あらかじめ幾つかの撮影モードを用意し、選択された撮影モード内においては、撮影パラメータの幾つかはあらかじめ設定された値に固定され、幾つかは、撮影条件によって、あらかじめ定められた制御アルゴリズムに従い自動制御される方式が一般的である。撮影モードスイッチ１０３は、この撮影モードを撮影者が選択するための入力手段である。よく知られている撮影モードの例としては、シャッタースピードを設定値に固定し、露出制御は絞り及びアンプゲインで行うシャッタースピード優先モード、反対に絞り値を固定し、露出制御をシャッタースピード及びアンプゲインで行う絞り優先モード、またシャッタースピードと絞りの双方を撮影者が設定するマニュアルモード、反対に双方があらかじめ設定された露出アルゴリズムに従い連動制御されるフルオートモード等がある。
【００２１】
さらには、近年これらの基本撮影モードに加え、特定の撮影条件もしくは撮影意図に特化したプリセットモードを備える画像データ記録装置が開発されている。プリセットモードの例としては、シャッタースピードを高速に固定し、早い動きの被写体をぶれることなく撮影するための「スポーツモード」や、絞りを解放に固定し、背景をぼかすことにより被写体をきわだたせる「ポートレートモード」、レンズの焦点距離を無限遠に固定し、すばやく風景撮影が行える「風景モード」、オートホワイトバランスの制御パラメータを変えることにより、屋内照明の雰囲気をきわだたせた「パーティーモード」等が知られている。また、静止画撮影時にスローシャッターで背景を露光したのち、フラッシュを発光して近景の被写体を露光することにより、夜間の撮影時に背景と被写体であるところの人物の双方を適正露出で撮影できる「夜景モード」なども一般的に装備されるようになっている。従来からある「セルフタイマーモード」も撮影モードの一つと考えられ、撮影モードスイッチによって選択できる装置もある。
【００２２】
撮影モードスイッチ１０３によって設定された、これらの撮影モードはカメラ制御部１０２において実際の撮影パラメータに変換され、制御が行われるが、プリセット撮影モードの構成としては、初心者にもわかりやすくするために、前述のように撮影目的や撮影内容によって区別されている場合が一般的である。このため、プリセットモードを利用する撮影者の使用法としては、例えばスポーツ観戦中は撮影モードスイッチを「スポーツモード」に固定しての撮影や、人物撮影には「ポートレートモード」ないしは夜間の「夜景モード」を使う等、撮影モードスイッチのプリセット設定内容が、撮影目的や撮影内容を反映している場合が多いと考えられる。これに基づき、本発明では、請求項１〜請求項４に記載されるように、新規に撮影される画像データに対し、撮影モードに対応したグループ情報を持つよう、撮影時に自動的にグループ管理データを更新する。
【００２３】
記録信号処理部１０４では、カメラ部１０１から供給される動画もしくは静止画の画像データに対し、圧縮符号化等の信号処理を行い、記録部１０５に供給する。記録部１０５においては記録制御部１０６の制御により、画像データが所定の記録フォーマットとなるよう、ヘッダ等の付加データが付加されたのち、誤り訂正符号化、記録変調符号化等を行い、動画もしくは静止画の画像データ１１０として記録メディア１０９に記録する。
【００２４】
本発明の特徴であるところのモードグループ判定部１０７では、撮影モードスイッチ１０３の設定値より、撮影データの撮影モードに対応するグループ属性を決定し、グループ情報設定部１０８のグループ情報として設定する。設定されたグループ情報は記録制御部１０６を経て、撮影画像データのグループ情報として記録メディア１０９に記録される。システム制御部１１２は撮影時の各部動作の全体的な協調制御を行う。
【００２５】
図２はモードグループ判定部１０７でのグループ判定の例を示す図である。「撮影モード」欄は前述の撮影モード設定値を示しており、各モードでのグループ判定値が「グループ」欄に示されている。この例では「スポーツモード」で撮影された画像データは「スポーツグループ」に、「ポートレート」もしくは「夜景モード」は「人物グループ」に、「風景モード」は「風景グループ」に、「パーティーモード」は「パーティーグループ」に判定される。これらのグループ設定が凡そ撮影目的、撮影内容を反映していると考えられるのは、前述のプリセット撮影モードの内容から明らかである。また、「セルフタイマーモード」の使用の大半は記念撮影の静止画と考えられるので、本例では「記念写真グループ」に設定する。
【００２６】
本実施例では、撮影モードがここに挙げられたプリセットモード以外のフルオート、シャッタースピード優先、絞り優先の場合は、請求項５に記載されるよう、グループ外としグループ情報の自動設定は行わない。さらに本実施例では「マニュアルモード」はより高度な撮影意図による撮影と考え、「カメラマングループ」に設定するが、請求項５に記載されるようにグループ外としてもかまわない。
【００２７】
グループ管理データの記録方式としては、付加情報として画像データ内に記録する例と、グループ管理データを保存するためのファイルとして記録する例が考えられる。図１−１１１で示されるグループ管理データファイルの内容例を図４に示す。４０１はグループ管理データであり、グループ名称とそれに属する画像データファイル名リストからなる。画像データが属するグループは排他的であっても良いし、複数のグループへの所属が可能であってもよい。また本発明による撮影モード毎のグループ設定と従来のユーザー設定グループが共存してもかまわない。図４では「お気に入りグループ」がユーザー設定グループに相当し、撮影後のユーザー操作により所属する画像データを選択したものである。このように別の管理ファイルにグループ管理データを記録する場合は、図１の実施例において、システム制御部１１２の制御のもと、前述の画像データの記録開始もしくは終了時、または画像データ記録と並行して、グループ情報設定部１０８のグループ設定情報にしたがって記録制御部１０６がグループ管理データファイル１１１の内容を更新する。
【００２８】
一方、図１−１１０で示される画像データファイルのヘッダ情報に、グループ管理情報を記録する例を図５に示す。５０１は画像データヘッダであり、他の各種画像ヘッダ情報とともに、５０２、５０３で示されるグループ管理情報を保持する。５０２は１番目のグループ情報であり、本発明のモードグループ設定方法にしたがって、撮影モードによって判定されるグループ情報が、撮影時に自動的に設定されている。５０３は２番目のグループ情報であり、撮影後のユーザー操作によって設定されたユーザーグループ情報が設定されている。５０４は１０４から供給される撮影画像データを記録する画像データ部である。このように画像データ内にグループ管理情報を記録する場合は、前述のように記録制御部１０６および記録部１０５による画像ヘッダ記録動作時において、所定のデータブロックにグループ管理情報をセットすることによって行われる。
【００２９】
図３は本発明によって撮影時に自動設定されたグループ情報を利用した、グループ分類表示画面の例を示す図である。３０１はグループ分類表示のスクリーン内容であり、３０２はグループ選択メニュー、３０３は選択されたグループ「風景グループ」である。３０４はグループ内容表示ウインドウであり、「風景グループ」に属する画像データ一覧を表示する。３０２のグループ選択メニューには従来のユーザー設定グループに相当する「お気に入りグループ」とともに、本発明によって撮影時に自動設定されたグループ「スポーツグループ」〜「カメラマングループ」が表示される。また「その他」は前述のようにプリセット以外の撮影モードにおいてグループ自動設定が行われなかった画像データを表示するための仮想的なグループ、「全て」は全ての画像データを一覧するための仮想的なグループである。前述のように本発明によって撮影時に自動設定されたグループは、撮影目的および撮影内容に関係が深いと考えられるため、これらのグループを選択することにより、容易に目的の画像データを表示することができ、かつ従来のユーザー設定グループのように撮影後の面倒なグループ設定操作が不要である。また本発明と撮影後のユーザー設定グループを共存させることも可能である。
【００３０】
本発明の第２の実施例を示す図６は、請求項６に記載される、動画もしくは静止画の画像データ記録装置の概略構成図である。６０１はカメラ部であり、レンズ工学系およびＣＣＤ等の撮像系からなる。６０２はカメラ制御部であり、カメラ部６０１の撮影パラメータ制御を行う。撮影モードスイッチ６０３によって設定された撮影モードは、カメラ制御部６０２において実際の撮影パラメータに変換され、制御が行われる。記録信号処理部６０４では、カメラ部６０１から供給される動画もしくは静止画の画像データに対し、圧縮符号化等の信号処理を行い、記録部６０５に供給する。６０５においては記録制御部６０６の制御により、画像データが所定の記録フォーマットとなるよう、ヘッダ等の付加データが付加されたのち、誤り訂正符号化、記録変調符号化等を行い、動画もしくは静止画の画像データ６１０として記録メディア６０９に記録する。
【００３１】
本発明の特徴であるところのモードグループ判定部６０７では、第１の実施例と同様、撮影モードスイッチ６０３の設定値より、撮影データの撮影モードに対応するグループ属性を決定し、グループ情報設定部６０８のグループ情報として設定する。さらに本実施例では請求項６に記載されるように、撮影モードがオート、マニュアル、シャッタースピード優先、絞り優先の場合は、カメラ制御部６０２から供給される撮影パラメータにより、手動ないしは自動設定されたシャッタースピード、絞り、レンズ焦点距離等の撮影パラメータの組み合わせに対応したグループに設定される。
【００３２】
設定されたグループ情報は記録制御部６０６を経て、撮影画像データのグループ情報として記録メディア６０９に記録される。システム制御部６１２は撮影時の各部動作の全体的な協調制御を行う。
【００３３】
図７はモードグループ判定部６０７でのグループ判定の例を示す図である。「撮影モード」欄は前述の撮影モード設定値を示しており、各モードでのグループ判定値が「グループ」欄に示されている。「マニュアルモード」以外での判定は、前記第１実施例と同様のため説明を省略する。マニュアルモードにおいては、撮影モードスイッチ６０３の設定にあわせて、カメラ制御部６０２から供給される撮影パラメータのうちの、シャッタースピード、絞り、焦点距離の組み合わせが判定され、グループが設定される。本実施例では請求項７に記載されるよう、プリセットモードで設定される撮影パラメータの組み合わせと同等と考えられる撮影パラメータであった場合、マニュアルモード時においても、プリセットモードで撮影された画像データと同じグループに属するよう、グループ情報が設定される。
【００３４】
グループ管理データを、画像データとは別の管理ファイルに記録する場合は、図６の実施例において、システム制御部６１２の制御のもと、前述の画像データの記録開始もしくは終了時、または画像データ記録と並行して、６０８のグループ設定情報にしたがって記録制御部６０８がグループ管理データファイル６１１の内容を更新する。画像データ内にグループ管理情報を記録する場合は、記録制御部６０６および記録部６０５による画像ヘッダ記録動作時において、所定のデータブロックにグループ管理情報をセットすることによって行われる。
【００３５】
このように請求項６および請求項７によれば、画像データ撮影時、プリセットモードでは撮影目的および撮影内容に関係が深いグループに、撮影画像データを自動設定できるのみならず、プリセットモード用いない撮影においても、カメラ制御パラメータを参照することにより、プリセットモード使用時に近いと思われるグループ情報を設定可能である。また請求項６によれば、特定の撮影パラメータの組み合わせに対し、プリセットモードに存在しない新たなグループ設定を行うことも可能である。
【００３６】
本発明の第３の実施例を示す図８は、請求項８に記載される、動画もしくは静止画の画像データ記録装置の概略構成図である。８０１はカメラ部であり、レンズ工学系およびＣＣＤ等の撮像系からなる。８０２はカメラ制御部であり、カメラ部８０１の撮影パラメータ制御を行う。撮影モードスイッチ８０３によって設定された撮影モードは、カメラ制御部８０２において実際の撮影パラメータに変換され、制御が行われる。記録信号処理部８０４では、カメラ部８０１から供給される動画もしくは静止画の画像データに対し、圧縮符号化等の信号処理を行い、記録部８０５に供給する。記録部８０５においては記録制御部８０６の制御により、画像データが所定の記録フォーマットとなるよう、ヘッダ等の付加データが付加されたのち、誤り訂正符号化、記録変調符号化等を行い、動画もしくは静止画の画像データ８１０として記録メディア８０９に記録する。
【００３７】
本発明の特徴であるところのモードグループ判定部８０７では、第１の実施例と同様、撮影モードスイッチ８０３の設定値より、撮影データの撮影モードに対応するグループ属性を決定し、グループ情報設定部６０８のグループ情報として設定する。さらに本実施例では請求項８に記載されるように、所定の撮影モードにおいては、撮影モード以外の撮影パラメータであるところの、システム制御部８１２から供給されるシステムパラメータと撮影モードの組み合わせに対応したグループに設定される。
【００３８】
設定されたグループ情報は記録制御部８０６を経て、撮影画像データのグループ情報として記録メディア８０９に記録される。システム制御部８１２は撮影時の各部動作の全体的な協調制御を行う。
【００３９】
図９はモードグループ判定部８０７でのグループ判定の例を示す図である。「撮影モード」欄は前述の撮影モード設定値を示しており、各モードでのグループ判定値が「グループ」欄に示されている。「サーフ＆スノーモード」以外での判定は、前記第１実施例と同様のため説明を省略する。本実施例で説明する「サーフ＆スノー」モードとは、晴天時のビーチサイドやスキーゲレンデ等、光量の多い撮影条件で、適正露出となる露出パラメータを設定するものであり、夏期のマリンスポーツや冬期のウインタースポーツ撮影での使用が想定されたプリセット撮影モードである。このモードのように撮影モード設定のみでは実際の撮影状況を判定しづらい場合、本実施例では請求項９〜請求項１２に記載されるよう、システムパラメータを参照することにより、より適切なグループ判定を行う。すなわち撮影モードが「サーフ＆スノー」であった場合、地域が北半球でありシステム時計の日付が北半球における冬期にあたる場合は、「ウインタースポーツグループ」が、また北半球における夏期にあたる場合は「マリンスポーツグループ」が設定される。
【００４０】
また「サーフ＆スノーモード」以外で、請求項１３に記載されるように露出制御と焦点距離の組み合わせからなるプリセットモードについても、同様にシステムパラメータを組み合わせた、より適切なグループ判定が可能であることは言うまでもない。請求項８に記載される、撮影モード以外の撮影パラメータは、本実施例の日時、地域情報に限定されるものではなく、撮影時に入手可能な全ての情報を組み合わせて用いてよい。
【００４１】
グループ管理データを、画像データとは別の管理ファイルに記録する場合は、図８の実施例において、システム制御部８１２の制御のもと、前述の画像データの記録開始もしくは終了時、または画像データ記録と並行して、グループ情報設定部８０８のグループ設定情報にしたがって記録制御部８０６がグループ管理データファイル８１１の内容を更新する。画像データ内にグループ管理情報を記録する場合は、記録制御部８０６および記録部８０５による画像ヘッダ記録動作時において、所定のデータブロックにグループ管理情報をセットすることによって行われる。
【００４２】
このように請求項８によれば、画像データ撮影時、プリセットモードでは撮影目的および撮影内容に関係が深いグループに、撮影画像データを自動設定できるのみならず、プリセットモード設定のみでは特定しづらい撮影状況を、他のシステムパラメータを参照することにより総合的に判断し、より適切なグループ設定が可能である。
【００４３】
本発明の第４の実施例を示す図１０は、請求項１４に記載される、動画もしくは静止画の画像データ記録再生装置の概略構成図である。１００１はカメラ部であり、レンズ工学系およびＣＣＤ等の撮像系からなる。１００２はカメラ制御部であり、カメラ部の撮影パラメータ制御を行う。撮影モードスイッチ１００３によって設定された撮影モードは、カメラ制御部１００２において実際の撮影パラメータに変換され、制御が行われる。記録信号処理部１００４では、カメラ部１００１から供給される動画もしくは静止画の画像データに対し、圧縮符号化等の信号処理を行い、記録部１００５に供給する。記録部１００５においては記録制御部１００６の制御により、画像データが所定の記録フォーマットとなるよう、ヘッダ等の付加データが付加されたのち、誤り訂正符号化、記録変調符号化等を行い、動画もしくは静止画の画像データ１０１０として記録メディア１００９に記録する。
【００４４】
本発明の特徴であるところのモードグループ判定部１００７では、第１の実施例と同様、撮影モードスイッチ１００３の設定値より、撮影データの撮影モードに対応するグループ属性を決定し、グループ情報設定部１００８のグループ情報として設定する。設定されたグループ情報は記録制御部１００６を経て、撮影画像データのグループ情報として記録メディア１００９に記録される。
【００４５】
既に記録された画像データの再生時には、例えばカーソルキーのような汎用入力装置１０１７で実現される画像選択入力で指示された画像データについての再生指示がシステム制御部１０１２より再生制御部１０１６に送られ、再生制御部１０１６の指示にしたがい、再生部１０１３が再生対象である画像データを読み出し、記録変調復号化、誤り訂正を行ったのち画像信号データについては再生信号処理部１０１４に供給する。再生信号処理部１０１４では画像データの圧縮複合化を行い、画像表示部１０１５に供給する。
【００４６】
本実施例では、請求項１４〜請求項１７に記載されるよう、既存の画像データについてグループ属性を追加／変更する場合、例えばカーソルキーのような汎用入力装置１０１７で実現される再生時機能選択において、グループ属性設定操作が選択された場合、撮影モードスイッチ１００３の設定に対応したグループの判定をモードグループ判定部１００７によって行い、グループ情報設定部１００８に設定する。記録制御部１００６には再生部よりグループ管理データの追加更新に必要な既存データが記録メディアから読み出し供給され、グループ情報設定部１００８から供給される新たに設定すべきグループ情報が追加／更新されたのち、記録部１００５から記録メディア１００９に記録される。システム制御部１０１２は撮影時および再生時の各部動作の全体的な協調制御を行う。
【００４７】
図１１は本実施例の再生時機能選択において、グループ属性設定操作が指示された場合の、グループ設定画面の例を示す図である。１１０１は再生画像表示スクリーンであり、１１０２は前述の再生画像選択によって選択された画像データ表示であり、１１０４は設定されるグループの表示であり、図１０での説明のように、撮影モードスイッチ１１０３での撮影モード設定に対応して図１０−１００７のモードグループ判定部によって判定されるグループである。
【００４８】
このように請求項１４によれば、画像データ撮影時にプリセットモードを用いなかった画像データや、設定したいグループと異なるグループに対応した撮影モードで撮影された画像データについても、撮影時の自動グループ設定と統一された簡便なグループ選択方法により、グループ属性を追加／変更することが可能である。
【００４９】
本発明の第５の実施例を示す図１２は、請求項１８に記載される、動画もしくは静止画の画像データ記録装置の概略構成図である。１２０１はカメラ部であり、レンズ工学系およびＣＣＤ等の撮像系からなる。１２０２はカメラ制御部であり、カメラ部の撮影パラメータ制御を行う。撮影モードスイッチ１２０３によって設定された撮影モードは、カメラ制御部１２０２において実際の撮影パラメータに変換され、制御が行われる。記録信号処理部１２０４では、カメラ部１２０１から供給される動画もしくは静止画の画像データに対し、圧縮符号化等の信号処理を行い、記録部１２０５に供給する。記録部１２０５においては記録制御部１２０６の制御により、画像データが所定の記録フォーマットとなるよう、ヘッダ等の付加データが付加されたのち、誤り訂正符号化、記録変調符号化等を行い、動画もしくは静止画の画像データ１２１０として記録メディア１２０９に記録する。
本発明の特徴であるところのモードグループ判定部１２０７では、第１の実施例と同様、撮影モードスイッチ１２０３の設定値より、撮影データの撮影モードに対応するグループ属性を決定し、グループ情報設定部１２０８のグループ情報として設定する。さらに本実施例では請求項１８〜請求項２０に記載されるように、モードグループ判定部１２０７で判定される撮影モードとグループの対応を撮影者が事前に変更できる手段として、グループテーブル設定部１２１８を新たに備える。グループテーブル設定部１２１８ではシステム制御部１２１２の制御により、システム設定値として撮影モードに対応するグループを設定し、保持する。モードグループ判定部１２０７の判定は、このあらかじめ設定されたグループの対応によって行われる。判定されたグループ情報は記録制御部１２０６を経て、撮影画像データのグループ情報として記録メディア１２０９に記録される。システム制御部１２１２は撮影時の各部動作の全体的な協調制御を行う。
【００５０】
グループ管理データを、画像データとは別の管理ファイルに記録する場合は、図１２の実施例において、システム制御部１２１２の制御のもと、前述の画像データの記録開始もしくは終了時、または画像データ記録と並行して、グループ情報設定部１２０８のグループ設定情報にしたがって記録制御部１２０６がグループ管理データファイル１２１１の内容を更新する。画像データ内にグループ管理情報を記録する場合は、記録制御部１２０６および記録部１２０５による画像ヘッダ記録動作時において、所定のデータブロックにグループ管理情報をセットすることによって行われる。
【００５１】
このように請求項１８によれば、画像データ撮影時、プリセットモードでは撮影目的および撮影内容に関係が深いグループに、撮影画像データを自動設定できるのみならず、プリセットモードに対応するグループを撮影者が事前に設定することにより、より柔軟なグループ情報の自動設定が可能である。
【図面の簡単な説明】
【００５２】
【図１】本発明の第１実施例の概略構成図
【図２】第１実施例の撮影モードによるグループ設定例を示す図
【図３】本発明によるグループ分類後の表示例を示す図
【図４】グループ管理ファイルにグループ管理データを記録する例を示す図
【図５】画像データのヘッダにグループ管理データを記録する例を示す図
【図６】本発明の第２実施例の概略構成図
【図７】第２実施例の撮影モードによるグループ設定例を示す図
【図８】本発明の第３実施例の概略構成図
【図９】第３実施例の撮影モードによるグループ設定例を示す図
【図１０】本発明の第４実施例の概略構成図
【図１１】第４実施例による撮影済み画像のグループ設定例を示す図
【図１２】本発明の第５実施例の概略構成図
【図１３】従来技術の概略構成図
【図１４】従来の画像グループ設定例を示す図
【符号の説明】
【００５３】
１０１、６０１、８０１、１００１、１２０１  カメラ部
１０２、６０２、８０２、１００２、１２０２  カメラ制御部
１０３、６０３、８０３、１００３、１２０３  撮影モードスイッチ
１０４、６０４、８０４、１００４、１２０４  記録信号処理部
１０５、６０５、８０５、１００５、１２０５  記録部
１０６、６０６、８０６、１００６、１２０６  記録制御部
１０７、６０７、８０７、１００７、１２０７  モードグループ判定部
１０８、６０８、８０８、１００８、１２０８、１３０８  グループ情報設定部
１０９、６０９、８０９、１００９、１２０９、１３０９  記録メディア
１１０、６１０、８１０、１０１０、１２１０、１３１０  画像データ
１１１、６１１、８１１、１０１１、１２１１、１３１１  グループ管理データファイル
１１２、６１２、８１２、１０１２、１２１２、１３１２  システム制御部
１０１３、１３１３  再生部
１０１４、１３１４  再生信号処理部
１０１５、１３１５  画像表示部
１０１６、１３１６  再生制御部
１０１７、１３１７  汎用入力装置
１２１８  グループテーブル設定部
１３１９  グループ選択入力部
【図１】
2005269356.tif 000003
【図２】
2005269356.tif 000004
【図３】
2005269356.tif 000005
【図４】
2005269356.tif 000006
【図５】
2005269356.tif 000007
【図６】
2005269356.tif 000008
【図７】
2005269356.tif 000009
【図８】
2005269356.tif 000010
【図９】
2005269356.tif 000011
【図１０】
2005269356.tif 000012
【図１１】
2005269356.tif 000013
【図１２】
2005269356.tif 000014
【図１３】
2005269356.tif 000015
【図１４】
2005269356.tif 000016